(57)【要約】【課題】収納部の収納スペースを十分に確保できるとともに、収納部の扉を開くことで、小物類などを簡単に仮置きできる仮置き面を確保できるキャビネットを実現する。【解決手段】キャビネット本体５に形成された収納凹所７と、収納凹所７の前面を覆う鏡扉６と、鏡扉６を支持するアーム１６と、アーム１６を収納凹所７に固定する固定部２１とを備え、この固定部２１には鏡扉６の下方への移動を緩和するダンパー機能部２３が内蔵されており、鏡扉６がアーム１６よって回転自在であり、鏡扉６の開状態では鏡扉６が略水平状態に保持され、鏡扉６の内面１８が物品仮置き面として機能するとともに、鏡扉６の一部がキャビネット本体５の下面に沿うように、キャビネット本体５の下方に入り込む。【選択図】図１
2010042095.tif 000002
【特許請求の範囲】
【請求項１】
キャビネット本体に形成された収納凹所と、収納凹所の前面を覆う扉と、扉を支持するアームと、アームを収納凹所に固定する固定部とを備え、扉がアームよって回転自在に構成されるキャビネットであって、扉の開状態では、扉が略水平状態に保持され、扉の内面が物品仮置き面として機能するとともに、扉の一部がキャビネット本体の下面に沿うように、キャビネット本体の下方に入り込んでいることを特徴とするキャビネット。
【請求項２】
請求項１に記載のキャビネットであって、キャビネット本体の下面と前面の間に、斜め面が形成されていることを特徴とするキャビネット。
【請求項３】
請求項１または２に記載のキャビネットであって、固定部に、扉の下方への移動を緩和するダンパー機能部が内蔵されていることを特徴とするキャビネット。
【請求項４】
請求項１から３のいずれかに記載のキャビネットであって、固定部に、扉の上方への移動を補助するスプリング機能部が内蔵されていることを特徴とするキャビネット。
【請求項５】
請求項１から４のいずれかに記載のキャビネットであって、扉に開閉ラッチが取り付けられていることを特徴とするキャビネット。
【請求項６】
請求項１から５のいずれかに記載のキャビネットが、ミラーを備えたミラーキャビネットであり、このミラーキャビネットが洗面台の上部に載置されていることを特徴とする洗面化粧台。
【発明の詳細な説明】
【技術分野】
【０００１】
本発明は、キャビネットに関し、例えば、洗面化粧台に設けられるミラーキャビネットなどに関し、ミラーキャビネットの下部に、仮置き用の回転式カウンターを設け、回転式カウンターがミラーキャビネット本体の下側に入り込む状態で略水平に維持される構成を特徴とするものである。
【背景技術】
【０００２】
従来、洗面化粧台では化粧や身だしなみを整える時や、水を使いながら細かな作業をしたい時などがある。そのような作業をする場合、ブラシやビンなどの濡れても問題の無い物とパフなどの水に弱い物を使用するが、作業中に仮置きできる場所は、図５（ａ）の従来の洗面化粧台４０に示すように、洗面カウンター４１しかなかった。
【０００３】
しかし、洗面カウンター４１は洗面化粧台４０の水栓４２の吐水口より低い位置にある場合がほとんどで水栓４２を使用すると水が飛散し濡れた状態になるため、水に弱い物も濡れてしまうという問題点があった。このような問題を考慮し、図５（ｂ）に示すように、ミラーキャビネット下部の収納部４３を利用しその鏡扉４４を前下に開くことで、その鏡扉４４の内面（裏面）４５を物置台としている洗面化粧台４６が知られている。
【０００４】
このような洗面化粧台は、従来いくつか提案されており、例えば、洗面化粧台のミラーキャビネットに、回転式カウンターを設けたものが知られている（特許文献１〜３参照）。また、吊り戸棚において、扉を一時的な載置棚として使用するため、扉を回転自在とし、扉の開位置では戸棚本体の下方に略水平な状態位置するようにしたものも知られている（特許文献４参照）。
【０００５】
【特許文献１】実開平１−１１２７８８号公報
【特許文献２】実開平１−１２８６３０号公報
【特許文献３】特開２０００−２４５６４４号公報
【特許文献４】特開２０００−３３０１４号公報
【発明の開示】
【発明が解決しようとする課題】
【０００６】
しかし、図５（ｂ）に示すように、ミラーキャビネット下部の収納部４３を利用し扉を前下に開くことで、その鏡扉４４の内面を物置台とした場合には、収納部４３の面積を十分にとると、鏡扉４４が大きくなり過ぎ、開いた時に洗面ボウル４７及び水栓（図示せず）が見えなくなるので使いづらいという問題点がある。
【０００７】
そこで、洗面ボウル４７及び水栓４２を使いやすくしようとすると、図６（ａ）に示す洗面化粧台４８のように、鏡扉４９の縦寸法を小さくすればよいが、そのようにすると、鏡扉４９に対応する収納部５１の縦幅（上下幅）が小さくなるため、背の低い物しか収納出来ないという問題が生じる。
【０００８】
そこで、図６（ｂ）に示す洗面化粧台５０ように、洗面ボウル４７及び水栓４２を避けて、左右の収納部５２のみの左右の鏡扉５３を前下に開けるようにしてもよいが、そのような構成とすると、鏡扉５３の内面５４の仮置き面の面積が小さく仮置きスペースが小さくなるという問題が生じる。
【０００９】
また、引用文献４のような構成であると、扉を物置台として使用する際に、余りにも下方となって、水栓部からの跳ね返りの水が物置台に付着するという問題も考えられる。
【００１０】
本発明は、上記従来の問題点を踏まえ、収納部の収納スペースを十分に確保できるとともに、収納部の扉を開くことで、小物類などを簡単に仮置きできる仮置き面を確保できるキャビネットを実現するものである。
【００１１】
例えば、洗面化粧台では、縦方向にも十分な収納スペースを有する収納部と、この収納部の前面扉を開くことにより、化粧等の身だしなみを整える行為をする時に水に弱いピンなどを仮置きできるスペースを提供し、しかも扉を開いた状態でも水栓を容易に使用することができる仮置き面を備えたキャビネットを実現することを課題とするものである。
【課題を解決するための手段】
【００１２】
本発明は上記課題を解決するために、キャビネット本体に形成された収納凹所と、収納凹所の前面を覆う扉と、扉を支持するアームと、アームを収納凹所に固定する固定部とを備え、扉がアームよって回転自在に構成されるキャビネットであって、扉の開状態では、扉が略水平状態に保持され、扉の内面が物品仮置き面として機能するとともに、扉の一部がキャビネット本体の下面に沿うように、キャビネット本体の下方に入り込んでいることを特徴とするキャビネットを提供する。
【００１３】
キャビネット本体の下面と前面の間に、斜め面が形成されていることが好ましい。
【００１４】
固定部に、扉の下方への移動を緩和するダンパー機能部が内蔵されていることが好ましい。
【００１５】
固定部に、扉の上方への移動を補助するスプリング機能部が内蔵されていることが好ましい。
【００１６】
扉に開閉ラッチが取り付けられていることが好ましい。
【００１７】
ミラーを備えたミラーキャビネットであり、このミラーキャビネットが洗面台の上部に載置されていることが好ましい。
【発明の効果】
【００１８】
本発明に係るキャビネットによれば、扉を開いた際に、その内面を仮置きできる仮置き面として使用でき、しかも扉の縦幅を大きくしても、扉を開いた状態では扉がキャビネットの下方に入り込み、前方に大きく突き出て邪魔にならないので、開閉される収納部（収納凹所）の縦幅を大きくとれる。そのため、収納部の上下方向の収納スペースを大きくとれる。
【００１９】
また、本発明を特に洗面化粧台のキャビネットに適用した場合は、扉を開いた状態では扉がキャビネットの下方に入り込むから、洗面ボウルより後方に退避した位置で略水平状態となり、洗面ボウル及び水栓を容易に使用でき、水の跳ね返りも少ない状態で使用することができる。
【発明を実施するための最良の形態】
【００２０】
本発明に係るキャビネットを実施するための最良の形態を実施例に基づき図面を参照して、以下説明する。
【実施例１】
【００２１】
本発明に係るキャビネットの実施例を図１〜４において説明する。この実施例では、本発明のキャビネットを洗面化粧台のキャビネットに適用した例で説明する。図１（ａ）に示すように、この洗面化粧台１は、洗面ボウル２を有する洗面台３の後部に、収納用のキャビネット４が起立するように設けられている。このキャビネット４は、収納部を形成するキャビネット本体５が設けられている。
【００２２】
キャビネット本体５の上部には、収納棚等（図示せず）の収納部が設けられ、その前面を覆う鏡扉６が開閉可能に設けられている。この実施例のキャビネットは、鏡扉６を備えたミラーキャビネットに適用した構成で説明するが、鏡扉６ではなく通常の扉を設けたキャビネットに適用してもよい。
【００２３】
キャビネット本体５の下部には、奥行き方向に向けて収納凹所７が形成されている。この収納凹所７は、キャビネット４において使用する化粧瓶、化粧具等の小物３７を収納する収納部である。収納凹所７は具体的には、次のように形成されている。
【００２４】
キャビネット本体５は、左右の側板８及び背板９を有するが、収納凹所７は、この左右の側板８と、背板９と、底板１０と、仕切り板１１とから構成される。キャビネット本体５の下面と前面の間に、斜め面が形成されている。
【００２５】
具体的には、図１（ａ）、（ｂ）に示すように、左右の側板８の前方下部の角部は、切り取られて奥側に向けて下方に傾斜する傾斜面１２が形成されている。底板１０は、傾斜面１２に沿う傾斜底部１３と水平底部１４（キャビネット本体５の下面）とから構成されている。なお、傾斜面１２、傾斜底部１３、およびその両者が、本発明の斜め面の一例に相当する。
【００２６】
この収納凹所７には、その前面を覆う仮置き棚兼用の鏡扉１５が、アーム１６によって、収納凹所７に対して回転自在に取り付けられている。この鏡扉１５によって、収納凹所７の前面は開閉可能となり、鏡扉１５は開いた状態では水平又は略水平（以下、略水平という。）となる。
【００２７】
鏡扉１５は、本体は木、プラスチック等で形成され、その前面は鏡面１７として形成され、その内面１８（裏面）はプラスチック等の層が形成されており、その上に小物を置いても傷が付かないように補強されている。この実施例では、収納凹所７の前面に鏡面１７を有する鏡扉１５としたが、鏡扉１５でなくても通常の扉でもよい。
【００２８】
アーム１６は、図２（ａ）、図４（ａ）、（ｂ）に示すように、湾曲又は屈曲して形成されており、その先端折り返し部１９が鏡扉１５の内面にねじ止めで固定されており、アーム１６の基端２０は、収納凹所７に固定部（回転支持機構）２１によって回転可能に取り付けられている。
【００２９】
鏡扉１５をアーム１６を介して完全に開いた状態では、図３（ａ）、（ｂ）に示すように、鏡扉１５の下部３４がキャビネットの水平底部１４（キャビネットの下面）に近接または略当接する位置に入り込み、鏡扉１５が全体として略水平となるように、アーム１６の先端折り返し部１９および基端２０は、それぞれ鏡扉１５の内面および固定部２１に取り付けられている。
【００３０】
この固定部２１には、図４（ｃ）に一例を示すが、アーム１６の基端２０を固定し固定部２１のフレーム２４に回転可能に支持する回転軸２２が設けられているとともに、アーム１６が下方に（鏡扉１５が開く方向）に向かって回転する際にその動きを緩和（緩衝）するダンパー機能部２３が内蔵されている。ダンパー機能部２３としては、回転ダンパーが使用される。
【００３１】
回転軸２２は、ダンパー機能部２３の回転軸（図示せず）に結合されており、鏡扉１５が開く方向に回転する際に緩衝するように構成されている。ダンパー機能部２３の回転ダンパーは、周知の回転ダンパーを使用する。例えば、比較的大きな粘性を有する油中で回転羽根又はオリフィス孔を設けた回転板を回転させる構成、或いは回転軸に取り付けたクランクとダンパー機能部の内壁との間に油圧シリンダを設けた構成等の回転ダンパーを使用する。
【００３２】
アーム１６が回転軸２２とともに下方に向かって急激に回転移動すると（図３（ａ）、（ｂ）参照）、鏡扉１５の下部３４が水平底部１４に衝突してしまうが、ダンパー機能部２３を設けることによって、アーム１６の回転移動を緩和（緩衝）して減速させ、鏡扉１５の下部３４が水平底部１４に衝突しない又は衝撃を柔らめるようにさせる機能を有するものである。
【００３３】
また、固定部は、アーム１６が上方（鏡扉１５が閉じる方向）に向かって回転する際にその動きを補助するスプリング機能部を内蔵する構成としてもよい。このスプリング機能部を設けることにより、使用者は、水平状態となって開いている鏡扉１５を軽く上方に向けて持ち上げ、閉じることができる。
【００３４】
本発明における固定部は、ダンパー機能部及びスプリング機能部のいずれか一つを設けた構成としてもよいが、両方を備えた構成としてもよい。ダンパー機能部及びスプリング機能部の両方を備えた固定部の一例を、固定部２５として図４（ｄ）において説明する。
【００３５】
固定部２５のフレーム２６に、アーム１６の基端２０が固定された回転軸２７が回転可能に取り付けられている。回転軸２７は、一対の歯車２８から成る歯車機構を介して歯車軸２９に連動している。歯車軸２９は、ダンパー機能部３０（ダンパー機能部２３と同様に回転ダンパーが使用される。）の回転軸に結合されている。
【００３６】
そして、固定部２５では、スプリング機能部として、鏡扉１５が閉じる方向へ付勢して回転力を補助するバネ３１が、回転軸２７とフレーム２６の内壁との間に介装されている。このような固定部２５を設ければ、鏡扉１５が開く方向に回転する際に回転軸２７及びアーム１６の回転を緩衝し減速することができる。また、使用者は鏡扉１５を閉じる方向に軽く回転することができる。
【００３７】
また、図１（ａ）に示すように、仕切板１１の下面前縁部にはラッチ３２が取り付けられており、このラッチ３２に対応して、鏡扉１５の内面１８にはラッチ受け３３が取り付けられている。鏡扉１５を完全に閉じた際に、ラッチ３２とラッチ受け３３が互いに係合しその係合を解除しない限り開かないような構成としている。なお、ラッチ３２及びラッチ受け３３の外形は、図１（ｃ）に示すが、互いに係脱可能な周知の構成のものを使用すればよい。
【００３８】
（作用）
上記実施例のキャビネット４の作用を以下説明する。ラッチ３２及びラッチ受けが互いに係合し、鏡扉１５は、収納凹所７の前面を覆って閉じた状態を維持している（図２（ｂ）参照）。この状態から、鏡扉１５の上部を奥側に押すとラッチ３２に内蔵されたバネ部材の反動により、ラッチ３２及びラッチ受け３３の互いの係合が解除されて、アーム１６は、固定部２１によって、下方に向けて回転する。
【００３９】
このアーム１６の下方への回転は、ダンパー機能部２３によって緩衝されているので、アーム１６の先端折り返し部１９に固定された鏡扉１５は、下方に向けてゆっくりと回転する。そして、鏡扉１５は、図３（ａ）、（ｂ）に示すように、その下部３４がキャビネット４の水平底部１４に近づき、キャビネット本体５の下面に沿うように衝突することなく、水平底部１４に近接または略当接する位置に入り込む。
【００４０】
これによって、鏡扉１５は、その内面１８が上方に向き、図１（ａ）、図３（ａ）、（ｂ）に示すように、全体として略水平な姿勢となって維持され、鏡扉１５の内面１８を仮置き面として使用することができる。即ち、使用者は、洗面化粧台１で鏡扉６に向かって化粧などする際に、化粧品、化粧具、その他の小物を、略水平状態にした鏡扉１５の内面１８上に仮置きできる。
【００４１】
鏡扉１５を閉じる場合は、鏡扉１５を上方に向けて回転するように力を加えると、アーム１６が固定部２１を中心に上方に回転し、鏡扉１５が収納凹所７の前面に近づくとラッチ３２及びラッチ受け３３が互いに係合して、図２（ｂ）に示し、また図３（ｂ）の想像線（２点鎖線）に示すように収納凹所７を閉じることができる。
【００４２】
この場合、図４（ｄ）に示すようなバネ３１によるスプリング機能部としての固定部２５を設ければ、アーム１６の上方への回転は、バネ３１により上方に向けて付勢されているから、使用者は、鏡扉１５を上方に向けて軽く回転できる。
【００４３】
キャビネット４の作用は、以上のとおりであるが、本発明のキャビネット４の特徴は、鏡扉１５をアーム１６及び固定部２１で回転可能に支持し、鏡扉１５の下部３４を水平底部１４に近接または略当接して沿うような位置に入り込ませる構成とした点である（図３（ａ）、（ｂ）参照）。
【００４４】
このような構成としたことで、鏡扉１５の縦幅を比較的大きい構成とした場合において、鏡扉１５を開いて略水平状態にしても、鏡扉１５が洗面ボウル部２の直上に位置することなく、洗面ボウル部２の斜め上後方の退避した位置で略水平状態となるから、洗面ボウル部２及び水栓３５を支障なく使用でき、水の跳ね返りも少ない状態で使用することができる。
【００４５】
しかも、鏡扉１５の縦幅を大きくできるから、収納凹所７の縦幅（底板１０から仕切り板１１までの上下方向の寸法）を大きくすることができる。これにより、収納凹所７に縦寸法の大きな小物３７を収納できるという利点が生じる。
【００４６】
さらに、キャビネット４の左右の側板８の前方下部の角部を切り取り、奥側に向けて下方に傾斜した傾斜面１２としたので、鏡扉１５を前方から下方に向けて回転する際に邪魔となることがない。
【００４７】
しかも、鏡扉１５を略水平状態とした際に、図３（ａ）、（ｂ）に示すように、底板１０の傾斜底部１３と鏡扉１５の内面１８との間に側面視で楔形のスペース３６が形成されるから、細長い小物（例．柄付きブラシ）等も前後方向に載置することが可能となり、楔形のスペース３６を有効に利用できる。
【００４８】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４９】
本発明に係るキャビネットは上記のような構成であるから、洗面化粧台のキャビネット、キッチンキャビネット、事務用キャビネット、工場などで使用される作業用キャビネットなど、いろいろなキャビネットに適用可能である。
【図面の簡単な説明】
【００５０】
【図１】（ａ）は、本発明に係るキャビネットの実施例を説明する図であり、本発明を洗面化粧台に適用した構成を示す斜視図であり、（ｂ）は（ａ）の収納凹所の部分の断面図である。（ｃ）はラッチ及びラッチ受けの外形を示す斜視図である。
【図２】本発明に係るキャビネットの要部を説明する図であり、（ａ）は収納凹所と鏡扉を分解した状態を示す斜視図であり、（ｂ）は鏡扉で閉じた状態の収納凹所を示す斜視図である。
【図３】本発明に係るキャビネットの要部を説明する図であり、（ａ）は鏡扉を開いた状態の収納凹所を示す斜視図であり、（ｂ）は収納凹所及び鏡扉の側面図である。
【図４】本発明に係るキャビネットの実施例のアーム及び固定部を説明する図であり、（ａ）、（ｂ）は鏡扉が開いた位置及び閉じた位置のアームと固定部の状態を示す斜視図であり、（ｃ）は固定部の一例を示す断面図であり、（ｄ）は固定部の別の一例を示す断面図である。
【図５】従来例及びその問題点を説明する図であり、（ａ）は従来例であり、（ｂ）は従来例における改良例を示す図である。
【図６】従来例及びその問題点を説明する図であり、（ａ）、（ｂ）は従来例における改良例を示す図である。
【符号の説明】
【００５１】
１  洗面化粧台                               
２、４７  洗面ボウル                             
３  洗面台                                   
４  キャビネット                       
５  キャビネット本体                         
６  鏡扉                                     
７  収納凹所                                 
８  左右の側板                               
９  背板                                     
１０  底板                                   
１１  仕切板                                 
１２  傾斜面                                 
１３  傾斜底部                               
１４  水平底部                               
１５、４４、４９、５３  仮置き棚兼用の鏡扉                     
１６  アーム                                 
１７  鏡面                                   
１８、４５、５４  鏡扉の内面（裏面）                             
１９  アームの先端折り返し部                 
２０  アームの基端                           
２１  アームの固定部（回転支持機構）         
２２、２７  回転軸                                 
２３  ダンパー機能部（回転ダンパー）         
２４、２７  固定部のフレーム                       
２５  固定部                                 
２８  一対の歯車
２９  歯車軸                         
３０  ダンパー機能部                             
３１  バネ                                     
３２  ラッチ                                   
３３  ラッチ受け                               
３４  鏡扉の下部
３５、４２  水栓
３６  楔形のスペース
３７  小物
４０、４６、４８、５０  従来例の洗面化粧台
４１  洗面カウンター
４３  ミラーキャビネット下部の収納部
５１  収納部
５２  左右の収納部
【図１】
2010042095.tif 000003
【図２】
2010042095.tif 000004
【図３】
2010042095.tif 000005
【図４】
2010042095.tif 000006
【図５】
2010042095.tif 000007
【図６】
2010042095.tif 000008